(57)【要約】【課題】通信端末装置から、通信端末装置に接続されている電話機への切替動作時に、回線に瞬断状態を起こさずに、確実に切り替えることができる通信端末装置を提供することを目的とする。【解決手段】通信機器に接続する外付け電話機接続部と、通信回線の捕捉状態を、通信端末装置から、上記通信機器に切り替えるための回線切替部と、上記通信回線の捕捉状態の回線電圧を検出する回線電圧検出部と、通信回線の捕捉状態を通信端末装置から、上記通信機器に切り替える際に、回線電圧を一定に保持する回線直流電圧保持部と、上記回線直流電圧保持部を制御する回線直流電圧制御部と、上記通信端末装置が回線を捕捉している状態から、上記通信機器へ切替る際に、上記通信端末装置と上記通信機器とを、上記通信回線に並列に接続し、上記回線電圧を一定に保持する保持手段とを有する通信端末装置である。【選択図】図１
2010154034.tif 000002
【特許請求の範囲】
【請求項１】
通信回線の捕捉状態を、通信端末装置から、上記通信端末装置に接続されている通信機器に切り替え可能な通信端末装置において、
上記通信機器に接続する外付け電話機接続部と；
通信回線の捕捉状態を、上記通信端末装置から、上記通信機器に切り替えるための回線切替部と；
上記通信回線の捕捉状態の回線電圧を検出する回線電圧検出部と；
通信回線の捕捉状態を通信端末装置から、上記通信機器に切り替える際に、回線電圧を一定に保持する回線直流電圧保持部と；
上記回線直流電圧保持部を制御する回線直流電圧制御部と；
上記通信端末装置が回線を捕捉している状態から、上記通信機器へ切替る際に、上記通信端末装置と上記通信機器とを、上記通信回線に並列に接続し、上記回線電圧を一定に保持する保持手段と；
を有することを特徴とする通信端末装置。
【請求項２】
請求項１において、
上記回線電圧を一定に保持した状態で、上記通信端末装置の回線インピーダンスがハイインピーダンス状態になったときに、並列接続状態を解除することを特徴とする通信端末装置。
【請求項３】
通信回線の捕捉状態を、通信端末装置から、上記通信端末装置に接続されている通信機器に切り替え可能な通信端末装置の制御方法において、
通信回線の捕捉状態を、上記通信端末装置から、上記通信機器に切り替えるための回線切替工程と；
上記通信回線の捕捉状態の回線電圧を検出する回線電圧検出工程と；
通信回線の捕捉状態を通信端末装置から、上記通信機器に切り替える際に、回線電圧を一定に保持する回線直流電圧保持工程と；
上記通信端末装置が回線を捕捉している状態から、上記通信機器へ切替る際に、上記通信端末装置と上記通信機器とを、上記通信回線に並列に接続し、上記回線電圧を一定に保持する保持手段と；
を有することを特徴とする通信端末装置の制御方法。
【発明の詳細な説明】
【技術分野】
【０００１】
本発明は、通信端末装置に関し、特に、上記通信端末装置に接続されている電話機等の通信機器と上記通信端末装置との間で、通信回線の直流捕捉状態を切り替える動作に関する。
【背景技術】
【０００２】
通信端末装置で回線を捕捉している状態から、上記通信端末装置に接続されている電話機に回線の捕捉状態を切り替えるときに、上記電話機が有するインピーダンスによっては、通信回線の回線電圧が瞬断する。つまり、上記電話機が有するインピーダンスによっては、上記切替動作によって、通信回線の回線電圧が瞬断し、回線の閉結状態を開放し、通信端末装置と電話機とを切替えることができない。
【０００３】
このような事情に鑑みて、通信端末装置と、上記通信端末装置に接続されている電話機とを切り替える場合、通信端末装置と、上記通信端末装置に接続されている電話機とを、一端、並列接続する。そして、上記通信端末装置に接続されている電話機のオフフック状態を検出した後に、切り替える。
【０００４】
このような通信端末装置において、回線電圧を測定する回線電圧測定部と、上記回線電圧測定部の測定値に基づいて、加入者線路抵抗を算出する線路抵抗算出部と、上記線路抵抗算出部の算出値に応じて、オフフック検出部の検出条件を変更する。これによって、通信端末装置と、上記通信端末装置に接続されている電話機との切替を制御することが知られている（たとえば、特許文献１参照）。
【特許文献１】特開平５−２０７１８２号公報
【発明の開示】
【発明が解決しようとする課題】
【０００５】
しかし、上記従来の通信端末装置では、加入者電話回線に対して、通信端末装置と上記通信端末装置に接続されている電話機とが並列に接続されている状態で、加入者電話回線に対する終端抵抗の通信規格を満足できない。このために、切替動作によって、通信回線の回線電圧が瞬断してしまうという問題がある。
【０００６】
本発明は、通信端末装置から、通信端末装置に接続されている電話機への切替動作時に、回線に瞬断状態を起こさず、確実に切り替えることができる通信端末装置を提供することを目的とする。
【課題を解決するための手段】
【０００７】
本発明は、通信回線の捕捉状態を、通信端末装置から、上記通信端末装置に接続されている電話機等の通信機器に切り替え可能な通信端末装置において、上記通信機器に接続する外付け電話機接続部と、通信回線の捕捉状態を、上記通信端末装置から、上記通信機器に切り替えるための回線切替部と、上記通信回線の捕捉状態の回線電圧を検出する回線電圧検出部と、通信回線の捕捉状態を通信端末装置から、上記通信機器に切り替える際に、回線電圧を一定に保持する回線直流電圧保持部と、上記回線直流電圧保持部を制御する回線直流電圧制御部と、上記通信端末装置が回線を捕捉している状態から、上記通信機器へ切替る際に、上記通信端末装置と上記通信機器とを、上記通信回線に並列に接続し、上記回線電圧を一定に保持する保持手段とを有する通信端末装置である。
【発明の効果】
【０００８】
本発明によれば、通信端末装置から、通信端末装置に接続されている電話機へ切り替えるときに、回線に瞬断状態を起こさずに、確実に切り替えることができるという効果を奏する。
【発明を実施するための最良の形態】
【０００９】
発明を実施するための最良の形態は、次の実施例である。
【実施例１】
【００１０】
図１は、本発明の実施例１である通信端末装置１００の概略構成を示すブロック図である。
【００１１】
表示部１は、制御部５の制御によって、通信端末装置１００の状態や時刻情報や送信先の電話番号等を表示する。
【００１２】
フラッシュメモリ２は、制御部５を制御するプログラムやオペレータメッセージ等のためのデータが格納されているブロックと、電源ＯＦＦ時に、ＤＲＡＭに蓄積されている画像データのバックアップ領域として使用するブロックとを有する。
【００１３】
ＤＲＡＭ３は、オペレータによって設定可能なデータや、通信によって受信した画像データ等を格納する。
【００１４】
操作部４は、通信端末装置１００を操作し、また、各種の情報を入力し、複数のキー入力スイッチと、キー入力スイッチの操作回路等によって構成されている。
【００１５】
制御部５は、ＣＰＵで構成され、通信端末装置１００の全体を制御し、フラッシュメモリ２に格納されている制御プログラムに従って各種の制御動作を実行する。
【００１６】
読取部６は、原稿を読み取る。記録部７は、画像データを記録する。通信部８は、画像データなどを通信用のフォーマットに制御し、通信回線１０との接続を行うためのハード回路等によって構成されている。
【００１７】
図２は、通信端末装置１００における通信部８の概略構成を示すブロック図である。
【００１８】
第１スイッチＳＷ１は、通信画像信号を送受信するために、通信回線１０の直流を捕捉するためのスイッチである。
【００１９】
通信回線直流捕捉制御部１２は、第１スイッチＳＷ１のＯＮ／ＯＦＦを制御する。
【００２０】
通信回線直流捕捉部１３は、通信回線直流捕捉制御部１２が第１スイッチＳＷ１をＯＮすると、各国の通信規格で定められている直流抵抗値で、回線を捕捉する。
【００２１】
通信回線直流電圧検出部１４は、通信回線直流捕捉部１３が捕捉した通信回線１０の直流電圧を監視する。
【００２２】
通信回線直流電圧制御部１５は、通信端末装置１００で通信回線１０を捕捉している状態から、通信端末装置１００に接続されている外部電話機１９に、通信回線１０の捕捉状態を移行するときに、通信回線直流電圧検出部１４が検出した電圧を一定に保持する。つまり、回線に対するインピーダンスを変更することにより、上記検出電圧を一定に保持する。このようにして、通信回線直流電圧制御部１５が、通信回線直流捕捉部１３を制御する。
【００２３】
通信回線直流電圧制御部１５で直流電圧を一定に保持する回線電圧は、第１スイッチＳＷ１が接続されたＯＮ状態で、第２スイッチＳＷ２が外部電話機１９との接続を開放されたＯＦＦ状態で、通信回線直流電圧検出部１４が検出した回線電圧である。また、通信回線直流電圧制御部１５は、通信回線直流捕捉部１３の直流インピーダンスがハイインピーダンス状態になると、第１スイッチＳＷ１を開放する。この直流インピーダンスがハイインピーダンスになるのは、外部電話への切替動作が完了したときである。
【００２４】
送受信回路部１６は、通信回線１０を介して、画像信号等を送受信する。
【００２５】
ＣＩ検知部１７は、通信回線１０から送出された呼出信号（ＣＩ信号）を検知し、このＣＩ検知部１７が呼出信号を検知すると、通信端末装置１００は、通信回線直流捕捉制御部１２を制御し、第１スイッチＳＷ１を接続するＯＮ状態にする。
【００２６】
第２スイッチＳＷ２は、通信端末装置１００に接続された外部電話機１９との接続をＯＮ／ＯＦＦするスイッチである。第２スイッチＳＷ２は、ＣＩ検知部１７が呼出信号を検出し、ＳＷ１を接続状態にする前に、外部電話機１９の影響を、通信回線１０に与えないために、外部電話機１９との接続を切り離す。
【００２７】
外部電話機１９は、通信端末装置１００に接続されている電話機等である。
【００２８】
通信端末装置１００は、通信回線の捕捉状態を、通信端末装置から、上記通信端末装置に接続されている通信機器に切り替え可能な通信端末装置である。外部電話機１９と第２スイッチＳＷ２との間に、通信機器に接続する外付け電話機接続部が設けられている。
【００２９】
通信回線直流捕捉制御部１２は、通信回線の捕捉状態を、上記通信端末装置から、上記通信機器に切り替えるための回線切替部の例である。通信回線直流電圧検出部１４は、上記通信回線の捕捉状態の回線電圧を検出する回線電圧検出部の例である。
【００３０】
通信回線直流捕捉部１３は、通信回線の捕捉状態を通信端末装置から、上記通信機器に切り替える際に、回線電圧を一定に保持する回線直流電圧保持部の例である。通信回線直流電圧制御部１５は、上記回線直流電圧保持部を制御する回線直流電圧制御部の例である。通信回線直流捕捉制御部１２、通信回線直流捕捉部１３は、通信端末装置が回線を捕捉している状態から、通信機器へ切替る際に、通信端末装置と通信機器とを、通信回線に並列に接続し、上記回線電圧を一定に保持する保持手段の例である。
【００３１】
この場合、上記回線電圧を一定に保持した状態で、上記通信端末装置の回線インピーダンスがハイインピーダンス状態になったときに、並列接続状態を解除する。
【００３２】
図３は、従来の通信端末装置２００の通信部２９の概略構成を示すブロック図である。
【００３３】
第３スイッチＳＷ３は、通信画像信号を送受信するために通信回線１０の直流を捕捉する。
【００３４】
通信回線直流捕捉制御部２１は、上記第３スイッチＳＷ３のＯＮ／ＯＦＦを制御する。
【００３５】
通信回線直流捕捉部２２は、通信回線直流捕捉制御部２１が第３スイッチＳＷ３をＯＮすると、各国の通信規格で定められた直流抵抗値で回線を捕捉する。
【００３６】
送受信回路部２３は、通信回線１０を介して画像信号等を送受信する。
【００３７】
ＣＩ検知部２４は、通信回線１０から送出された呼出信号（ＣＩ信号）を検知し、このＣＩ検知部２４が、呼出信号を検知すると、従来の通信端末装置２００は、通信回線直流捕捉制御部２１を制御し第３スイッチＳＷ３を接続するＯＮ状態にする。
【００３８】
第４スイッチＳＷ４は、従来の通信端末装置２００に接続されている外部電話機２８が、通信回線１０に接続するか、フック検知用電源供給部２７に接続するかを切り替える。
【００３９】
フック検知用電源供給部２７は、従来の通信端末装置２００で回線を捕捉していいる状態の時に、外部電話機２８のフック状態を、検知する。また、フック検知用電源供給部２７より、外部電話機２８に直流電圧を供給することによって、外部電話機２８が有するインピーダンスとは無関係に、通信回線１０への切替をスムーズに行うことができる。ただし、フック検知用の電源回路が必要であるので、高価な構成である。
【００４０】
外部電話機２８は、従来の通信端末装置２００に接続されている電話機である。通信部２９は、従来の通信端末装置の通信部である。
【００４１】
図４は、実施例１における通信部８の概略を示す回路図である。
【００４２】
通信回線１０は、ラインＬ１とラインＬ２とによって構成され、第５スイッチＳＷ５に入力される。通信回線１０を経由した呼出信号の検出や、通信端末装置１００からの発呼動作を受け付けると、第５スイッチＳＷ５をＯＮし、通信端末装置１００と通信回線１０と接続する。
【００４３】
第５スイッチＳＷ５がＯＮされると、トランジスタＱ１、抵抗Ｒ１、抵抗Ｒ２、抵抗Ｒ３、コンデンサＣ１によって、通信回線の直流が捕捉される。ダイオードブリッジ３７によって、通信回線１０のＬ１、Ｌ２の極性に関係なく、通信回線の直流が捕捉される。
【００４４】
通信回線直流電圧制御部１５は、通信端末装置１００に接続されている外部電話機１９に通信回線の捕捉状態を移行するときに、外部電話機１９のインピーダンスによって通信回線１０に瞬断状態を発生させずに、オフフック状態を移行する。なお、上記オフフック状態は、通信回線を捕捉した状態である。このために、トランジスタＱ１のベース電位やトランジスタＱ１のエミッタ抵抗である抵抗Ｒ１等を制御し、直流捕捉状態の移行（通信端末装置１００→外部電話機１９）を、通信回線１０を瞬断させずに、確実に行えるよう制御する。
【００４５】
図５は、従来例による回線接続の切替制御を示すタイミングチャートである。
【００４６】
直流Ｖ１は、交換機が出力する直流電圧である。タイミングｔ１で、通信端末装置１００が通信回線１０の直流捕捉を開始する。タイミングｔ２で、通信端末装置１００が通信回線１０の直流を捕捉し、通信回線１０の電圧は、Ｖ２に移行する。
【００４７】
通信端末装置１００が通信動作を実行しているときは、回線電圧はＶ２が保持される。通信端末装置１００の通信動作が終了し、外部電話機１９がオフフック状態であるときに、通信回線１０の直流捕捉状態が、通信端末装置１００から外部電話機１９に移行される。ただ単純に第１スイッチＳＷ１をＯＦＦし、第２スイッチＳＷ２をＯＮすると、外部電話機１９のもつコンデンサに電荷を充電させる期間が発生するために、開放状態となる。この状態を示したタイミングが、ｔ３→ｔ４の状態であり、回線電圧がＶ３まで上がり、誤切断が発生する。
【００４８】
図６は、実施例１における受信動作時の動作を示すフローチャートである。
【００４９】
実施例１は、通信端末装置１００によって、通信回線１０の直流捕捉状態から、通信端末装置１００に接続されている外部電話機１９へ、通信回線１０の直流捕捉状態を移行するときの実施例である。
【００５０】
Ｓ１０１で、通信回線１０から送出された呼出信号を検知する。
【００５１】
Ｓ１０２で、通信端末装置１００が通信回線１０の直流を捕捉する。通信端末装置１００が通信回線１０の直流を捕捉した状態は、第１スイッチＳＷ１が接続されたＯＮ状態であり、第２スイッチＳＷ２が外部電話機１９との接続が切り離されたＯＦＦ状態になり、通信回線直流捕捉部１３によって通信回線１０が閉結される。
【００５２】
Ｓ１０３で、通信回線の直流捕捉をした状態の通信回線電圧を、通信回線直流電圧検出部１４が検出する。Ｓ１０４で、ＦＡＸ通信を実行する。
【００５３】
Ｓ１０５で、ＦＡＸ通信実行中に、外部電話機１９への接続切替要求信号の有／無を検出する。接続切替要求信号が無い場合、Ｓ１０６で、ＦＡＸ通信が終了したかどうかを検出する。ＦＡＸ通信が終了していなければ、Ｓ１０５に戻り、ＦＡＸ通信が終了すれば、Ｓ１１２で、第１スイッチＳＷ１をＯＦＦした後に、終了する。Ｓ１０５で接続切替要求信号が有ると判断されれば、Ｓ１０７で、ＦＡＸ通信が終了したかどうかを検出する。ＦＡＸ通信が終了していなければ、Ｓ１０７に戻り、ＦＡＸ通信が終了すれば、Ｓ１０８で、第２スイッチＳＷ２が、外部電話機１９と接続するようにスイッチを切り替える。
【００５４】
Ｓ１０９で、通信回線直流電圧検出部１４が通信回線直流電圧を検出し、Ｓ１１０では、Ｓ１０３で検出した回線電圧の状態を保持するように、通信回線直流電圧制御部１５が制御する。
【００５５】
Ｓ１１１で、通信端末装置１００の通信回線に対する直流抵抗のインピーダンスを検出し、通信回線に対する直流抵抗のインピーダンスがハイインピーダンス状態でなければ、Ｓ１０９に戻る。通信回線に対する直流抵抗のインピーダンスがハイインピーダンス状態であれば、Ｓ１１２で、第１スイッチＳＷ１をＯＦＦし、終了する。
【００５６】
上記実施例を構成する手段（部）を、工程に置き換えると、上記実施例を、通信端末装置の制御方法の発明として把握することができる。
【図面の簡単な説明】
【００５７】
【図１】本発明の実施例１である通信端末装置１００の概略構成を示すブロック図である。
【図２】通信端末装置１００における通信部８の概略構成を示すブロック図である。
【図３】従来の通信端末装置２００における通信部２９の概略構成を示すブロック図である。
【図４】実施例１における通信部８の概略を示す回路図である。
【図５】従来例による回線接続の切替制御を示すタイミングチャートである。
【図６】実施例１における受信動作時の動作を示すフローチャートである。
【符号の説明】
【００５８】
１００…通信端末装置、
１…表示部、
２…フラッシュメモリ、
３…ＤＲＡＭ、
４…操作部、
５…制御部、
６…読取部、
７…記録部、
８…通信部、
１０…通信回線、
ＳＷ１…第１スイッチ、
１２…通信回線直流捕捉制御部、
１３…通信回線直流捕捉部、
１４…通信回線直流電圧検出部、
１５…通信回線直流電圧制御部、
１６…送受信回路部、
１７…ＣＩ検知部、
ＳＷ２…第２スイッチ、
１９…外部電話機、
ＳＷ３…第３スイッチ、
２１…通信回線直流捕捉制御部、
２２…通信回線直流捕捉部、
２３…送受信回路部、
２４…ＣＩ検知部、
２５…フック検知部、
ＳＷ４…第４スイッチ、
２７…フック検知用電源供給部、
２８…外部電話機、
２９…従来の通信部、
２００…従来の通信端末装置、
ＳＷ５…第５スイッチ、
３７…ダイオードブリッジ。
【図１】
2010154034.tif 000003
【図２】
2010154034.tif 000004
【図３】
2010154034.tif 000005
【図４】
2010154034.tif 000006
【図５】
2010154034.tif 000007
【図６】
2010154034.tif 000008